(57)【特許請求の範囲】
【請求項１】
第１のユーザ端末と第２のユーザ端末との間で近傍のユーザ端末を発見するための発見手順が実行される通信方法であって、
前記第１のユーザ端末からネットワーク装置へ第１の要求を送信し、
前記第２のユーザ端末から前記ネットワーク装置へ第２の要求を送信し、
前記第１の要求に応じて、前記ネットワーク装置から前記第１のユーザ端末へ前記発見手順において用いられる第１の識別子を含む第１の情報を送信し、
前記第２の要求に応じて、前記ネットワーク装置から前記第２のユーザ端末へ前記発見手順において用いられる第２の識別子を含む第２の情報を送信し、
前記第１のユーザ端末から前記第２のユーザ端末へ前記第１の識別子を用いて発見信号を送信し、
前記第２のユーザ端末が、前記発見信号によって前記第１の識別子を取得し、
前記第２のユーザ端末が、前記第１の識別子と前記第２の識別子とが一致するか否かを判定し、
前記第１の識別子と前記第２の識別子とが一致したことに応じて、前記第２のユーザ端末から前記ネットワーク装置へ、前記発見信号の受信に基づく報告を送信する通信方法。
【請求項２】
前記第２のユーザ端末が、前記第１の識別子と前記第２の識別子とを比較することによって、前記第１の識別子と前記第２の識別子とが一致するか否かを判定し、
前記第１の識別子と前記第２の識別子とが一致したことに応じて、前記第２のユーザ端末から前記ネットワーク装置へ、前記発見信号の受信に基づく報告を送信する請求項１に記載の通信方法。
【請求項３】
前記第２のユーザ端末が、前記第１の識別子と前記第２の情報とに基づいて、前記第２のユーザ端末に関する第３の情報を特定し、
前記第３の情報は、前記第１の識別子に対応する請求項１に記載の通信方法。
【請求項４】
前記第２のユーザ端末から前記ネットワーク装置へ前記第１の識別子を送信し、
前記ネットワーク装置から前記第２のユーザ端末へ、前記第１の識別子に対応する情報を送信する請求項１に記載の通信方法。
【請求項５】
他のユーザ端末との間で近傍のユーザ端末を発見するための発見手順が実行可能なユーザ端末であって、
制御部を備え、
前記制御部は、
ネットワーク装置へ前記発見手順のための要求を送信する処理と、
前記要求に応じて前記ネットワーク装置から送信された、前記発見手順において用いられる第１の識別子を含む情報を受信する処理と、
前記他のユーザ端末から前記発見手順において用いられる第２の識別子を用いて送信された発見信号を受信する処理と、
前記発見信号によって前記第２の識別子を取得する処理と、
前記第１の識別子と前記第２の識別子とが一致するか否かを判定する処理と、
前記第１の識別子と前記第２の識別子とが一致したことに応じて、前記発見信号の受信に基づく報告を送信する処理と、を実行するユーザ端末。
【請求項６】
他のユーザ端末との間で近傍のユーザ端末を発見するための発見手順が実行可能なユーザ端末を制御するためのプロセッサであって、
ネットワーク装置へ前記発見手順のための要求を送信する処理と、
前記要求に応じて前記ネットワーク装置から送信された、前記発見手順において用いられる第１の識別子を含む情報を受信する処理と、
前記他のユーザ端末から前記発見手順において用いられる第２の識別子を用いて送信された発見信号を受信する処理と、
前記発見信号によって前記第２の識別子を取得する処理と、
前記第１の識別子と前記第２の識別子とが一致するか否かを判定する処理と、
前記第１の識別子と前記第２の識別子とが一致したことに応じて、前記発見信号の受信に基づく報告を送信する処理と、を実行可能なプロセッサ。
【発明の詳細な説明】
【技術分野】
【０００１】
本発明は、Ｄ２Ｄ通信をサポートする移動通信システムにおいて用いられる通信制御方法、ユーザ端末及び基地局に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、リリース１２以降の新機能として、端末間（Ｄｅｖｉｃｅ  ｔｏ  Ｄｅｖｉｃｅ：Ｄ２Ｄ）通信の導入が検討されている（非特許文献１参照）。
【０００３】
Ｄ２Ｄ通信では、近接する複数のユーザ端末がコアネットワークを介さずに直接的な端末間通信を行う。一方、移動通信システムの通常の通信であるセルラ通信では、ユーザ端末がコアネットワークを介して通信を行う。
【０００４】
ここで、ユーザ端末は、Ｄ２Ｄ通信における相手端末の発見に用いられる発見信号（Ｄｉｓｃｏｖｅｒｙ信号又はＤｉｓｃｏｖｅｒａｂｌｅ信号）によって、他のユーザ端末を発見する。
【０００５】
Ｄ２Ｄ通信における相手端末の発見処理として、ユーザ端末ベースの発見処理（以下、ＵＥ型発見処理と適宜称する）がある。
【先行技術文献】
【非特許文献】
【０００６】
【非特許文献１】３ＧＰＰ技術報告書  「ＴＲ  ２２．８０３  Ｖ１２．１．０」      ２０１３年３月
【発明の概要】
【０００７】
Ｄ２Ｄ通信における相手端末の発見処理として、ＵＥ型発見処理に加えて、ネットワークベースの発見処理（以下、ＮＷ型発見処理と適宜称する）の導入が想定される。現状の仕様においては、ＵＥ型発見処理及びＮＷ型発見処理を有効に機能させるための仕組みが存在しない。
【０００８】
そこで、本発明は、ＵＥ型発見処理及びＮＷ型発見処理を有効に機能させることが可能な通信制御方法、ユーザ端末及び基地局を提供することを目的とする。
【０００９】
一実施形態に係る通信制御方法は、ユーザ端末ベースの発見処理とネットワークベースの発見処理とからなる近傍ユーザ端末の発見に関する発見処理をサポートする移動通信システムにおいて用いられる。前記通信制御方法は、基地局が、前記ユーザ端末ベースの発見処理を行うことが可能な無線リソース領域を示す情報をブロードキャストによって送信するステップと、前記基地局が、前記ネットワークベースの発見処理に用いられる時間・周波数リソースをユーザ端末に割り当てるステップと、前記基地局が、前記ユーザ端末に割り当てられた時間・周波数リソースを示す情報を含む制御情報を前記ユーザ端末にユニキャストによって送信するステップと、前記ユーザ端末が、前記無線リソース領域内の時間・周波数リソースを用いて前記ユーザ端末ベースの発見処理を行うステップと、前記ユーザ端末が、前記制御情報を受信した場合には、前記ユーザ端末に割り当てられた時間・周波数リソースを用いて前記ネットワークベースの発見処理を行うステップと、を備える。
【図面の簡単な説明】
【００１０】
【図１】図１は、ＬＴＥシステムの構成図である。
【図２】図２は、ＵＥのブロック図である。
【図３】図３は、ｅＮＢのブロック図である。
【図４】図４は、ＬＴＥシステムにおける無線インターフェイスのプロトコルスタック図である。
【図５】図５は、ＬＴＥシステムで使用される無線フレームの構成図である。
【図６】図６は、セルラ通信におけるデータパスを示す図である。
【図７】図７は、Ｄ２Ｄ通信におけるデータパスを示す図である。
【図８】図８は、実施形態に係る移動通信システムの動作シーケンス１を説明するシーケンス図である。
【図９】図９は、実施形態に係る移動通信システムの動作シーケンス１における時間・周波数リソースを説明するための説明図である。
【図１０】図１０は、実施形態に係る移動通信システムの動作シーケンス２を説明するシーケンス図である。
【図１１】図１１は、実施形態に係る移動通信システムの動作シーケンス３を説明するシーケンス図である。
【図１２】図１２は、実施形態に係る移動通信システムの動作シーケンス４を説明するシーケンス図である。
【図１３】図１３は、実施形態に係る移動通信システムの動作シーケンス５を説明するシーケンス図である。
【発明を実施するための形態】
【００１１】
［実施形態の概要］
実施形態に係る通信制御方法は、ユーザ端末ベースの発見処理とネットワークベースの発見処理とからなる近傍ユーザ端末の発見に関する発見処理をサポートする移動通信システムにおいて用いられる。前記通信制御方法は、基地局が、前記ユーザ端末ベースの発見処理を行うことが可能な無線リソース領域を示す情報をブロードキャストによって送信するステップと、前記基地局が、前記ネットワークベースの発見処理に用いられる時間・周波数リソースをユーザ端末に割り当てるステップと、前記基地局が、前記ユーザ端末に割り当てられた時間・周波数リソースを示す情報を含む制御情報を前記ユーザ端末にユニキャストによって送信するステップと、前記ユーザ端末が、前記無線リソース領域内の時間・周波数リソースを用いて前記ユーザ端末ベースの発見処理を行うステップと、前記ユーザ端末が、前記制御情報を受信した場合には、前記ユーザ端末に割り当てられた時間・周波数リソースを用いて前記ネットワークベースの発見処理を行うステップと、を備える。
【００１２】
実施形態では、前記ユーザ端末が、前記制御情報を受信していない場合、発見信号を送信するために前記制御情報を前記基地局に要求する。
【００１３】
実施形態では、前記時間・周波数リソースを割り当てるステップにおいて、前記基地局は、前記無線リソース領域の中から、前記ネットワークベースの発見処理に用いられる前記時間・周波数リソースを前記ユーザ端末に割り当てる。
【００１４】
実施形態では、前記制御情報を送信するステップにおいて、前記基地局は、前記ユーザ端末に割り当てられる情報を含む前記制御情報を送信し、前記ネットワークベースの発見処理を行うステップにおいて、前記ユーザ端末は、前記制御情報に基づいて、前記ユーザ端末のＤ２Ｄ通信における相手となるべき相手ユーザ端末の発見に用いられる発見信号を送信することによって、前記発見処理を行う。
【００１５】
実施形態では、前記制御情報は、前記発見信号を送信するユーザ端末を指定する送信情報を含み、前記ネットワークベースの発見処理を行うステップにおいて、前記ユーザ端末は、前記送信情報に基づいて、前記発見信号を送信する。
【００１６】
実施形態では、前記ユーザ端末ベースの発見処理を行うステップは、前記基地局が、Ｄ２Ｄ通信における相手となるべき相手ユーザ端末の発見に用いられる発見信号の送信元を識別するための識別情報を、前記ユーザ端末に送信するステップと、前記ユーザ端末が、前記基地局から受信した前記識別情報に基づいて、前記無線リソース領域内の前記時間・周波数リソースを用いて前記発見信号を送信するステップと、前記相手ユーザ端末が、受信した前記発見信号によって得られた前記識別情報に基づいて、前記ユーザ端末を特定するステップと、を含む。
【００１７】
実施形態に係るユーザ端末は、ユーザ端末ベースの発見処理とネットワークベースの発見処理とからなる近傍ユーザ端末の発見に関する発見処理をサポートする移動通信システムにおいて用いられる。当該ユーザ端末は、前記ユーザ端末ベースの発見処理を行うことが可能な無線リソース領域を示す情報を基地局からブロードキャストによって受信する受信部と、前記無線リソース領域内の時間・周波数リソースを用いて前記ユーザ端末ベースの発見処理を行う制御部と、を備える。前記制御部は、前記ユーザ端末に割り当てられた時間・周波数リソースを示す情報を含む制御情報を前記基地局からユニキャストによって受信した場合には、前記ユーザ端末に割り当てられた時間・周波数リソースを用いて前記ネットワークベースの発見処理を行う。
【００１８】
実施形態に係る基地局は、ユーザ端末ベースの発見処理とネットワークベースの発見処理とからなる近傍ユーザ端末の発見に関する発見処理をサポートする移動通信システムにおいて用いられる。当該基地局は、前記ユーザ端末ベースの発見処理を行うことが可能な無線リソース領域を示す情報をブロードキャストによって送信する制御と、前記ネットワークベースの発見処理に用いられる時間・周波数リソースをユーザ端末に割り当てる制御と、前記ユーザ端末に割り当てられた時間・周波数リソースを示す情報を含む制御情報を前記ユーザ端末にユニキャストによって送信する制御と、を実行する制御部を備える。
【００１９】
実施形態に係るユーザ端末は、移動通信システムにおいて用いられる。前記ユーザ端末は、近傍ユーザ端末の発見のための発見信号の送信に用いることが可能な無線リソース領域を示す情報を基地局からブロードキャストによって受信する受信部と、前記無線リソース領域内の時間・周波数リソースを用いて前記発見信号を送信する制御を行う制御部と、を備える。前記制御部は、前記基地局とＲＲＣ接続中において、前記ユーザ端末に割り当てられた時間・周波数リソースを示す情報をユニキャストによって前記基地局から受信した場合には、前記ユーザ端末に割り当てられた時間・周波数リソースを用いて前記発見信号を送信する制御を行う。
【００２０】
実施形態では、前記ユーザ端末が、発見信号を送信するために前記ユーザ端末に割り当てられた時間・周波数リソースを示す情報を前記基地局に要求する。
【００２１】
実施形態に係る基地局は、移動通信システムにおいて用いられる。前記基地局は、近傍ユーザ端末の発見のための発見信号の送信に用いることが可能な無線リソース領域を示す情報をブロードキャストによって送信する制御と、前記発見信号の送信に用いられる時間・周波数リソースをユーザ端末に割り当てる制御と、前記ユーザ端末とＲＲＣ接続中において、前記ユーザ端末に割り当てられた時間・周波数リソースを示す情報をユニキャストによって前記ユーザ端末に送信する制御と、を実行する制御部を備える。
【００２２】
実施形態に係るユーザ端末は、近傍ユーザ端末の発見に関する発見処理をサポートする移動通信システムにおいて用いられる。前記ユーザ端末は、無線リソース領域を示す情報を基地局からブロードキャストによって受信する受信部と、前記無線リソース領域内の時間・周波数リソースを自律的に用いて前記発見処理を行う制御部と、を備える。
【００２３】
［実施形態］
（ＬＴＥシステム）
図１は、本実施形態に係るＬＴＥシステムの構成図である。
【００２４】
図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。Ｅ−ＵＴＲＡＮ１０及びＥＰＣ２０は、ネットワークを構成する。
【００２５】
ＵＥ１００は、移動型の無線通信装置であり、接続を確立したセル（サービングセル）との無線通信を行う。ＵＥ１００はユーザ端末に相当する。
【００２６】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、セルを管理しており、セルとの接続を確立したＵＥ１００との無線通信を行う。
【００２７】
なお、「セル」は、無線通信エリアの最小単位を示す用語として使用される他に、ＵＥ１００との無線通信を行う機能を示す用語としても使用される。
【００２８】
ｅＮＢ２００は、例えば、無線リソース管理（ＲＲＭ）機能と、ユーザデータのルーティング機能と、モビリティ制御及びスケジューリングのための測定制御機能と、を有する。
【００２９】
ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００と、ＯＡＭ（Ｏｐｅｒａｔｉｏｎ  ａｎｄ  Ｍａｉｎｔｅｎａｎｃｅ）４００とを含む。また、ＥＰＣ２０は、コアネットワークに相当する。
【００３０】
ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００３１】
ＯＡＭ４００は、オペレータによって管理されるサーバ装置であり、Ｅ−ＵＴＲＡＮ１０の保守及び監視を行う。
【００３２】
次に、ＵＥ１００及びｅＮＢ２００の構成を説明する。
【００３３】
図２は、ＵＥ１００のブロック図である。図２に示すように、ＵＥ１００は、アンテナ１０１と、無線送受信機１１０と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。
【００３４】
ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００３５】
アンテナ１０１及び無線送受信機１１０は、無線信号の送受信に用いられる。アンテナ１０１は、複数のアンテナ素子を含む。無線送受信機１１０は、プロセッサ１６０が出力するベースバンド信号を無線信号に変換してアンテナ１０１から送信する。また、無線送受信機１１０は、アンテナ１０１が受信する無線信号をベースバンド信号に変換してプロセッサ１６０に出力する。
【００３６】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。
【００３７】
ＧＮＳＳ受信機１３０は、ＵＥ１００の地理的な位置を示す位置情報を得るために、ＧＮＳＳ信号を受信して、受信した信号をプロセッサ１６０に出力する。
【００３８】
バッテリ１４０は、ＵＥ１００の各ブロックに供給すべき電力を蓄える。
【００３９】
メモリ１５０は、プロセッサ１６０によって実行されるプログラムと、プロセッサ１６０による処理に使用される情報と、を記憶する。
【００４０】
プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００４１】
図３は、ｅＮＢ２００のブロック図である。図３に示すように、ｅＮＢ２００（後述するＭｅＮＢ２００Ａ、ＰｅＮＢ２００Ｂ及びＰｅＮＢ２００Ｂを含む）は、アンテナ２０１と、無線送受信機２１０と、ネットワークインターフェイス２２０と、メモリ２３０と、プロセッサ２４０と、を有する。メモリ２３０及びプロセッサ２４０は、制御部を構成する。なお、メモリ２３０をプロセッサ２４０と一体化し、このセット（すなわち、チップセット）をプロセッサ２４０’としてもよい。
【００４２】
アンテナ２０１及び無線送受信機２１０は、無線信号の送受信に用いられる。アンテナ２０１は、複数のアンテナ素子を含む。無線送受信機２１０は、プロセッサ２４０が出力するベースバンド信号を無線信号に変換してアンテナ２０１から送信する。また、無線送受信機２１０は、アンテナ２０１が受信する無線信号をベースバンド信号に変換してプロセッサ２４０に出力する。
【００４３】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００４４】
メモリ２３０は、プロセッサ２４０によって実行されるプログラムと、プロセッサ２４０による処理に使用される情報と、を記憶する。
【００４５】
プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００４６】
図４は、ＬＴＥシステムにおける無線インターフェイスのプロトコルスタック図である。
【００４７】
図４に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００４８】
物理レイヤは、符号化・復号、変調・復調、アンテナマッピング・デマッピング、及びリソースマッピング・デマッピングを行う。物理レイヤは、物理チャネルを用いて上位レイヤに伝送サービスを提供する。ＵＥ１００の物理レイヤとｅＮＢ２００の物理レイヤとの間では、物理チャネルを介してデータが伝送される。
【００４９】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式など）、及び割り当てリソースブロックを決定するＭＡＣスケジューラを含む。
【００５０】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００５１】
ＰＤＣＰレイヤは、ヘッダ圧縮・伸張、及び暗号化・復号化を行う。
【００５２】
ＲＲＣレイヤは、制御プレーンでのみ定義される。ＵＥ１００のＲＲＣレイヤとｅＮＢ２００のＲＲＣレイヤとの間では、各種設定のための制御信号（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間にＲＲＣ接続がある場合、ＵＥ１００は接続状態であり、そうでない場合、ＵＥ１００はアイドル状態である。
【００５３】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理などを行う。
【００５４】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ使用される。
【００５５】
図５に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各シンボルの先頭には、サイクリックプレフィックス（ＣＰ）と呼ばれるガード区間が設けられる。リソースブロックは、周波数方向に複数個のサブキャリアを含む。１つのサブキャリア及び１つのシンボルにより構成される無線リソース単位はリソースエレメント（ＲＥ）と称される。
【００５６】
ＵＥ１００に割り当てられる無線リソースのうち、周波数リソースはリソースブロックにより特定でき、時間リソースはサブフレーム（又はスロット）により特定できる。
【００５７】
下りリンクにおいて、各サブフレームの先頭数シンボルの区間は、主に物理下りリンク制御チャネル（ＰＤＣＣＨ）として使用される制御領域である。また、各サブフレームの残りの区間は、主に物理下りリンク共有チャネル（ＰＤＳＣＨ）として使用できる領域である。さらに、各サブフレームには、セル固有参照信号（ＣＲＳ）が分散して配置される。
【００５８】
上りリンクにおいて、各サブフレームにおける周波数方向の両端部は、主に物理上りリンク制御チャネル（ＰＵＣＣＨ）として使用される制御領域である。また、各サブフレームにおける周波数方向の中央部は、主に物理上りリンク共有チャネル（ＰＵＳＣＨ）として使用できる領域である。さらに、各サブフレームには、復調参照信号（ＤＭＲＳ）及びサウンディング参照信号（ＳＲＳ）が配置される。
【００５９】
（Ｄ２Ｄ通信）
次に、ＬＴＥシステムの通常の通信（セルラ通信）とＤ２Ｄ通信とを比較して説明する。
【００６０】
図６は、セルラ通信におけるデータパスを示す図である。ここでは、ｅＮＢ２００−１との接続を確立したＵＥ１００−１と、ｅＮＢ２００−２との接続を確立したＵＥ１００−２と、の間でセルラ通信を行う場合を例示している。なお、データパスとは、ユーザデータ（ユーザプレーン）の転送経路を意味する。
【００６１】
図６に示すように、セルラ通信のデータパスはネットワークを経由する。詳細には、ｅＮＢ２００−１、Ｓ−ＧＷ３００、及びｅＮＢ２００−２を経由するデータパスが設定される。
【００６２】
図７は、Ｄ２Ｄ通信におけるデータパスを示す図である。ここでは、ｅＮＢ２００−１との接続を確立したＵＥ１００−１と、ｅＮＢ２００−２との接続を確立したＵＥ１００−２と、の間でＤ２Ｄ通信を行う場合を例示している。
【００６３】
図７に示すように、Ｄ２Ｄ通信のデータパスはネットワークを経由しない。すなわち、ＵＥ間で直接的な無線通信を行う。このように、ＵＥ１００−１の近傍にＵＥ１００−２が存在するのであれば、ＵＥ１００−１とＵＥ１００−２との間でＤ２Ｄ通信を行うことによって、ネットワークのトラフィック負荷及びＵＥ１００のバッテリ消費量を削減するなどの効果が得られる。
【００６４】
なお、Ｄ２Ｄ通信が開始されるケースとして、（ａ）相手端末を発見するための動作を行うことによって相手端末を発見した後に、Ｄ２Ｄ通信が開始されるケースと、（ｂ）相手端末を発見するための動作を行わずにＤ２Ｄ通信が開始されるケースがある。
【００６５】
例えば、上記（ａ）のケースでは、ＵＥ１００−１及びＵＥ１００−２のうち一方のＵＥ１００が、近傍に存在する他方のＵＥ１００を発見することで、Ｄ２Ｄ通信が開始される。
【００６６】
このケースの場合、ＵＥ１００は、相手端末を発見するために、自身の近傍に存在する他のＵＥ１００を発見する（Ｄｉｓｃｏｖｅｒ）機能、及び／又は、ＵＥ１００は、他のＵＥ１００から発見される(Ｄｉｓｃｏｖｅｒａｂｌｅ)機能を有する。
【００６７】
具体的には、ＵＥ１００−１は、相手端末を発見するため又は相手端末に発見されるために用いられる発見信号（Ｄｉｓｃｏｖｅｒｙ信号／Ｄｉｓｃｏｖｅｒａｂｌｅ信号）を送信する。発見信号を受信したＵＥ１００−２は、ＵＥ１００−１を発見する。ＵＥ１００−２が発見信号に対する応答を送信することで、発見信号を送信したＵＥ１００−１は、相手端末であるＵＥ１００−１を発見する。
【００６８】
なお、ＵＥ１００は、相手端末を発見しても必ずしもＤ２Ｄ通信を行う必要はなく、例えば、ＵＥ１００−１及びＵＥ１００−２は、互いに相手を発見した後に、ネゴシエーションを行って、Ｄ２Ｄ通信を行うか否かを判定してもよい。ＵＥ１００−１及びＵＥ１００−２のそれぞれは、Ｄ２Ｄ通信を行うことに同意した場合に、Ｄ２Ｄ通信を開始する。
なお、ＵＥ１００−１は、相手端末を発見した後にＤ２Ｄ通信を行わなかった場合、上位レイヤ（例えば、アプリケーションなど）に近傍のＵＥ１００（すなわち、ＵＥ１００−２）の発見を報告してもよい。例えば、アプリケーションは、当該報告に基づく処理（例えば、ＵＥ１００−２の位置を地図情報にプロットする処理など）を実行できる。
【００６９】
また、ＵＥ１００は、相手端末を発見したことをｅＮＢ２００に報告し、相手端末との通信をセルラ通信によって行うかＤ２Ｄ通信によって行うかの指示をｅＮＢ２００から受けることも可能である。
【００７０】
一方、上記（ｂ）のケースでは、例えば、ＵＥ１００−１は、相手端末を特定せずに、Ｄ２Ｄ通信用の信号の送信（ブロードキャストによる報知など）を開始する。これにより、ＵＥ１００は、相手端末の発見の有無にかかわらず、Ｄ２Ｄ通信を開始できる。なお、Ｄ２Ｄ通信用の信号の待ち受け動作を行っているＵＥ１００−２は、ＵＥ１００−１からの当該信号に基づいて、同期又は／及び復調を行う。
【００７１】
（ＮＷ型発見処理とＵＥ型発見処理）
次に、ＮＷ型発見処理及びＵＥ型発見処理について、説明する。
【００７２】
移動通信システムは、Ｄ２Ｄ通信における相手端末の発見処理として、ＮＷ型発見処理（ネットワークベースの発見処理）とＵＥ型発見処理（ユーザ端末ベースの発見処理）とをサポートする。
【００７３】
ＮＷ型発見処理及びＵＥ型発見処理は、例えば、以下のいずれかの発見処理である。
【００７４】
第１に、ＮＷ型発見処理では、ｅＮＢ２００、ＭＭＥなどのネットワーク（ネットワーク装置）は、ＵＥ１００の発見動作が行われる前に、発見相手となるＵＥ１００（受信側ＵＥ１００）に、発見動作（発見信号の送信）を行うＵＥ１００（送信側ＵＥ１００）に関する端末情報を送信する。受信側ＵＥ１００は、端末情報に基づいて、送信側ＵＥ１００を発見する。例えば、受信側ＵＥ１００は、端末情報によって、発見信号を受信するために探索すべき範囲が特定されている。
【００７５】
端末情報は、送信側ＵＥ１００の識別子、発見信号の送信に関する情報（送信帯域、送信タイミングなど）の少なくともいずれかを含む。
【００７６】
一方、ＵＥ型発見処理では、ネットワークは、ＵＥ１００の発見動作が行われる前に、受信側ＵＥ１００に、端末情報を送信しない。従って、受信側ＵＥ１００は、送信側ＵＥ１００がどのような発見動作を行うか分からない。例えば、受信側ＵＥ１００は、発見信号を受信するために探索すべき範囲が特定されていないため、発見信号を受信するまで発見信号が送信される範囲の送信帯域を探索する。
【００７７】
第２に、ＮＷ型発見処理では、ネットワークは、ＵＥ１００の発見動作が行われる前に、送信側ＵＥ１００に、発見すべき特定の受信側ＵＥ１００に関する端末情報を送信する。送信側ＵＥ１００は、端末情報に基づいて、発見信号の送信を行う。
【００７８】
ここでの端末情報は、受信側ＵＥ１００の識別子、発見信号の受信に関する情報（受信帯域、受信タイミングなど）の少なくともいずれかを含む。
【００７９】
一方、ＵＥ型発見処理では、ネットワークは、ＵＥ１００の発見動作が行われる前に、送信側ＵＥ１００に、端末情報を送信しない。従って、送信側ＵＥ１００は、特定の受信側ＵＥ１００が存在するかどうか分からない。
【００８０】
第３に、ＮＷ型発見処理では、ネットワークは、ＵＥ１００の発見動作が行われる前に、送信側ＵＥ１００及び受信側ＵＥ１００のそれぞれに、端末情報を送信する。送信側ＵＥ１００は、端末情報に基づいて、発見信号の送信を行い、受信側ＵＥ１００は、端末情報に基づいて、送信側ＵＥ１００を発見する。
【００８１】
一方、ＵＥ型発見処理では、ネットワークは、ＵＥ１００の発見動作が行われる前に、送信側ＵＥ１００及び受信側ＵＥ１００のそれぞれに、端末情報を送信しない。従って、送信側ＵＥ１００は、特定の受信側ＵＥ１００が存在するかどうか分からず、受信側ＵＥ１００は、送信側ＵＥ１００がどのような発見動作を行うか分からない。
【００８２】
第４に、ＮＷ型発見処理では、ネットワークが、ＵＥ１００の発見動作が行われる前に、発見処理に用いられる時間・周波数リソースが指定されたリソース情報をＵＥ１００に送信した場合、リソース情報を受信したＵＥ１００は、リソース情報を用いて発見動作（発見信号の送信又は受信）を行わなければならない。
【００８３】
一方、ＵＥ型発見処理では、ネットワークが、ＵＥ１００の発見動作が行われる前に、リソース情報をＵＥ１００に送信した場合、リソース情報を受信したＵＥ１００は、リソース情報を用いて発見動作（発見信号の送信又は受信）を行わなくてもよい。リソース情報を受信したＵＥ１００は、リソース情報を用いて発見動作を行ってもよい。
【００８４】
第５に、ＮＷ型発見処理では、ＵＥ１００の発見動作が行われる前に、送信側ＵＥ１００及び受信側ＵＥ１００は、発見すべき相手が分かっている。
【００８５】
一方、ＵＥ型発見処理では、ＵＥ１００の発見動作が行われる前に、送信側ＵＥ１００及び受信側ＵＥ１００は、発見すべき相手が分かっていない。
【００８６】
第６に、ＮＷ型発見処理では、Ｄ２Ｄ通信が行われるという前提の下、発見動作が行われる。例えば、セルラ通信中のＵＥ１００のグループに対して、ネットワークがＤ２Ｄ通信を行わせることを決定した場合に、ＮＷ型発見処理が行われる。
【００８７】
一方、ＵＥ型発見処理では、Ｄ２Ｄ通信が行われるか否かに関わらず、発見動作が行われる。
【００８８】
（動作シーケンス）
次に、本実施形態に係る移動通信システムの動作シーケンス１−５について、説明する。
【００８９】
以下において、ＮＷ型発見処理では、ネットワークは、ＵＥ１００の発見動作が行われる前に、送信側ＵＥ１００及び受信側ＵＥ１００のそれぞれに、端末情報を送信する。一方、ＵＥ型発見処理では、ネットワークは、ＵＥ１００の発見動作が行われる前に、端末情報を送信しない。
【００９０】
動作シーケンス１は、ＮＷ型発見処理であり、動作シーケンス２−５は、ＵＥ型発見処理である。各動作シーケンスにおいて用いられる識別情報は、ＮＷ型発見処理における制御とＵＥ型発見処理における制御とで共通に利用可能である。
【００９１】
（１）動作シーケンス１（ＮＷ型発見処理）
動作シーケンス１について、図８及び図９を用いて説明する。図８は、実施形態に係る移動通信システムの動作シーケンス１を説明するシーケンス図である。図９は、実施形態に係る移動通信システムの動作シーケンス１における時間・周波数リソースを説明するための説明図である。
【００９２】
ｅＮＢ２００は、ＵＥ型発見処理を行うことが可能な無線リソース領域（以下、ＵＥ型無線リソース領域と適宜称する）を示す情報をブロードキャスト又はユニキャストによって送信している（不図示）。ＵＥ１００は、当該無線リソース領域内の時間・周波数リソースを用いてＵＥ型発見処理を行うことができる。当該無線リソース領域を示す情報は、例えば、図９に示すように、発見処理（Ｄ２Ｄ  ｄｉｓｃｏｖｅｒｙ）のための専用のリソースブロックである。
【００９３】
図８に示すように、ステップＳ１０１において、ｅＮＢ２００は、自セルに在圏するＵＥ１００−１及びＵＥ１００−２のそれぞれに、ＮＷ型発見処理を行わせるための制御情報（すなわち、上述で説明した端末情報）をユニキャストで通知（送信）する。ＵＥ１００−１及びＵＥ１００−２のそれぞれは、制御情報を受信する。
【００９４】
本実施形態において、制御情報は、ＵＥ１００−１とＵＥ１００−１のＤ２Ｄ通信における相手となるべきＵＥ１００−２とに割り当てられる情報である識別情報を含む。
【００９５】
ｅＮＢ２００は、制御情報を送信する前に、ＵＥ１００−１及びＵＥ１００−２に、互いに相手を特定するための識別情報を予め割り当てる。ｅＮＢ２００が割り当てる識別情報は、例えば、以下の（ａ）及び（ｂ）の情報が挙げられる。
【００９６】
（ａ）発見信号の信号系列
ｅＮＢ２００は、発見信号の送信（及び受信）のために用いられる複数の信号系列（直交系列）の中から一つの信号系列を選択し、選択した信号系列を、ＵＥ１００−１とＵＥ１００−２とに共通且つ専用の信号系列として確保する。ｅＮＢ２００は、確保された発見信号の信号系列を示す識別子を識別情報として送信し、確保された信号系列をＵＥ１００−１とＵＥ１００−２とに共通に割り当てる。
【００９７】
（ｂ）時間・周波数リソース
ｅＮＢ２００は、ＵＥ型無線リソース領域内における時間・周波数リソースを、ＵＥ１００−１及びＵＥ１００−２用に確保する。ｅＮＢ２００は、確保された時間・周波数リソースを示す識別子を識別情報として送信し、確保された時間・周波数リソースをＵＥ１００−１及びＵＥ１００−２に共通に割り当てる。
【００９８】
また、制御情報は、識別情報の他に、発見信号を送信するＵＥ１００及び／又は発見信号を受信するＵＥ１００を指定する送受信情報を含んでもよい。
【００９９】
ステップＳ１０２において、制御情報を受信したＵＥ１００−１及びＵＥ１００−２は、ＵＥ型無線リソース領域内における時間・周波数リソースを用いて、ＮＷ型発見処理を行う。具体的には、ＵＥ１００（ＵＥ１００−１、ＵＥ１００−２）は、ＵＥ型無線リソース領域内における時間・周波数リソースを用いて、制御情報に基づいて、発見信号を送信又は受信することによって、発見処理を行う。これにより、ＵＥ型無線リソース領域を用いて、ＮＷ型発見処理を行うことができるため、発見処理（具体的には、発見処理を行わせるため）の制御が共通となるため、無線リソースを有効活用できる。
【０１００】
例えば、ＵＥ１００−１は、発見信号の信号系列を示す識別情報が制御情報に含まれる場合、識別情報に基づく信号系列を用いて発見信号を送信できる。発見信号を受信したＵＥ１００−２は、受信した発見信号の信号系列と、ｅＮＢ２００から受信した識別情報によって示される信号系列とが一致した場合、受信した発見信号の送信元が、ＵＥ１００−１であることが特定できる。これにより、ＵＥ１００−２は、ＵＥ１００−１を発見できる。一方、ＵＥ１００−１は、ＵＥ１００−２からの発見信号の応答を受信することによって、ＵＥ１００−２を特定し、発見できる。ＵＥ１００−２は、識別情報によって示される信号系列を用いて発見信号の応答を送信してもよい。
【０１０１】
また、ＵＥ１００−１は、ＵＥ型無線リソース領域内における時間・周波数リソースを示す識別情報が制御情報に含まれる場合、識別情報に基づく時間・周波数リソースを用いて発見信号を送信できる。発見信号を受信したＵＥ１００−２は、受信した発見信号の送信に用いられた時間・周波数リソースと、ｅＮＢ２００から受信した識別情報によって示される時間・周波数リソースとが一致した場合、受信した発見信号の送信元が、ＵＥ１００−１であることが特定できる。これにより、ＵＥ１００−２は、ＵＥ１００−１を発見できる。
【０１０２】
また、ｅＮＢ２００は、図９に示すように、ＵＥ型無線リソース領域外における時間・周波数リソースを専用に確保し、確保された時間・周波数リソースをＵＥ１００−１及びＵＥ１００−２に共通に割り当ててもよい。なお、ＵＥ型無線リソース領域外の無線リソース領域（以下、ＮＷ型無線リソース領域と適宜称する）は、セルラ通信に用いられる無線リソース領域（セルラ通信専用領域）であってもよいし、Ｄ２Ｄ通信に用いられる無線リソース領域（セルラ通信とＤ２Ｄ通信との共通領域）であってもよい。
【０１０３】
ＵＥ１００−１は、ＮＷ型無線リソース領域内における時間・周波数リソースである第１の時間・周波数リソースを示す識別情報が制御情報に含まれる場合、第１の時間・周波数リソースと同一の時間帯に位置し、ＵＥ型無線リソース領域内の時間・周波数リソースである第２の時間・周波数リソースとを同時に用いて、発見信号を送信できる。ＵＥ１００−２は、第１の時間・周波数リソースと第２の時間・周波数リソースとを同時に用いて発見信号を受信する。これにより、発見信号を多重して送信することができ、ダイバーシチ効果を得ることができる。その結果、多くのＵＥ１００が発見信号を送信するような状況であっても、発見の成功確率を向上させることができる。
【０１０４】
なお、第２の時間・周波数リソースは、識別情報によって示されてもよいし、発見信号を送信するＵＥ１００−１が、ＵＥ型無線リソース領域内から適宜選択してもよい。
【０１０５】
また、送受信情報が制御情報に含まれる場合、ＵＥ１００−１及びＵＥ１００−２は、送受信情報によって示される発見動作（発見信号の送信又は受信）を行うことができる。これにより、ＵＥ１００−１及びＵＥ１００−２が、共に発見信号の送信又は受信を行って、互いに発見信号を受信できないということがなくなるため、効率よく相手端末を発見できる。
【０１０６】
その後、発見処理によって、ＵＥ１００−１及びＵＥ１００−２のそれぞれは、相手端末を発見した後、Ｄ２Ｄ通信を行うための接続を確立し、Ｄ２Ｄ通信を行う。
【０１０７】
なお、ＵＥ１００−１及びＵＥ１００−２の少なくとも一方は、相手端末を発見した後、相手端末を発見したことを示す発見報告をｅＮＢ２００などのネットワークに送信してもよい。発見報告を受信したネットワークは、ＵＥ１００−１及びＵＥ１００−２にＤ２Ｄ通信を行わせてもよいし、行わせなくてもよい。
【０１０８】
例えば、ネットワークは、ＵＥ１００−１及びＵＥ１００−２にＤ２Ｄ通信を行わせることによって、セルラ通信又はＤ２Ｄ通信を行う他のＵＥ１００に対して、干渉を与えると判断した場合、ＵＥ１００−１及びＵＥ１００−２にＤ２Ｄ通信を行わせないと決定してもよい。この場合、ネットワークは、ＵＥ１００−１及びＵＥ１００−２のそれぞれが、他の近傍無線通信能力（例えば、Ｗｉｆｉ  ｄｉｒｅｃｔ）を有している場合、他の近傍無線通信を行わせるための指示をＵＥ１００−１及びＵＥ１００−２のそれぞれに行ってもよい。なお、ネットワークは、Ｄ２Ｄ通信を行わせないと決定した後に、他の近傍無線通信能力を有するか否かを示す能力情報をＵＥ１００−１及びＵＥ１００−２のそれぞれに要求してもよく、ＵＥ１００−１及びＵＥ１００−２のそれぞれが予め当該能力情報を送信していてもよい。
【０１０９】
（２）動作シーケンス２（ＵＥ型発見処理）
次に、動作シーケンス２について、図１０を用いて説明する。図１０は、実施形態に係る移動通信システムの動作シーケンス２を説明するシーケンス図である。なお、上述した動作シーケンス１と異なる部分を中心に説明し、同様の部分は、説明を適宜省略する。
【０１１０】
動作シーケンス１では、ＮＷ型発見処理が行われたが、動作シーケンス２では、ＵＥ型発見処理が行われる。
【０１１１】
図１０に示すように、ステップＳ２０１において、ＵＥ１００−２は、ＮＷ型発見処理を行わせるための制御情報を受信していない状態で、Ｄ２Ｄ通信を行うことを希望する場合、発見信号を送信するために、識別情報をｅＮＢ２００に要求する。ｅＮＢ２００は、識別情報の要求を受信する。
【０１１２】
ｅＮＢ２００は、識別情報の要求に応じて、ＵＥ１００−２のためにリソースを確保する。具体的には、ｅＮＢ２００は、発見信号の送信のために用いられる複数の信号系列うち、一つの信号系列をＵＥ１００−２のために確保する。ここで、複数の信号系列は、上述した動作パターン１における信号系列と共通のものである。
【０１１３】
また、ｅＮＢ２００は、ＵＥ１００−２と確保したリソースとを対応付けて対応リストに記録する。対応リストは、複数の識別情報と、複数の識別情報のそれぞれが対応付けられたＵＥを示す情報からなる複数のＵＥ情報と、に関するリストである。
【０１１４】
ステップＳ２０２において、ｅＮＢ２００は、確保したリソースを示す識別情報をユニキャストによって、ＵＥ１００−２に送信（通知）する。ＵＥ１００−２は、識別情報を受信する。識別情報は、発見信号の送信元を識別するために用いられる。
【０１１５】
ステップＳ２０３において、ＵＥ１００−２は、識別情報に基づいて、ＵＥ型無線リソース領域内における時間・周波数リソースを用いて、ＵＥ型発見処理（具体的には、発見信号の送信）を行う。ＵＥ１００−１は、発見信号を受信する。
【０１１６】
ＵＥ１００−１は、動作シーケンス１と異なり、発見信号の送信元が特定できない。このため、ＵＥ１００−１は、受信した発見信号によって識別情報を得る。例えば、ＵＥ１００−１は、受信した発見信号の信号系列（及び／又は受信した発見信号の送信に用いられた時間・周波数リソース）を識別情報として得る。
【０１１７】
ステップＳ２０４において、ＵＥ１００−１は、受信した発見信号によって得られた識別情報に対応するＵＥを示すＵＥ情報を、ｅＮＢ２００に要求する。
【０１１８】
ｅＮＢ２００は、対応ＵＥ情報要求に応じて、対応リストに基づいて、対応ＵＥ情報要求に含まれる識別情報に対応するＵＥを特定する。本実施形態において、ｅＮＢ２００は、識別情報に対応するＵＥをＵＥ１００−２と特定する。
【０１１９】
ステップＳ２０５において、ｅＮＢ２００は、ＵＥ情報として、ＵＥ１００−２を示す情報（例えば、識別子）をＵＥ１００−１に送信（通知）する。ＵＥ１００−１は、ＵＥ情報を受信する。ＵＥ１００−１は、受信したＵＥ情報に基づいて、ＵＥ１００−２を特定する。
【０１２０】
このように、動作シーケンス２では、ＵＥ１００−１は、発見信号によって得られた識別情報に基づいて、ＵＥ１００−２を特定できる。具体的には、ＵＥ１００−１は、発見信号によって得られた識別情報に対応するＵＥを示すＵＥ情報をｅＮＢ２００に要求し、ｅＮＢ２００からＵＥ情報を受信する。これによって、ＵＥ１００−１は、ＵＥ１００−２を特定できる。
【０１２１】
また、ＵＥ１００−１は、ＵＥ１００−１を特定するための情報を含む発見信号応答をＵＥ１００−２に送信する。これによって、ＵＥ１００−２は、ＵＥ１００−１を特定できる。その後、ＵＥ１００−１とＵＥ１００−２とは、Ｄ２Ｄ通信を行うための接続を確立し、Ｄ２Ｄ通信を行う。
【０１２２】
（３）動作シーケンス３（ＵＥ型発見処理）
次に、動作シーケンス３について、図１１を用いて説明する。図１１は、実施形態に係る移動通信システムの動作シーケンス３を説明するシーケンス図である。なお、上述した動作シーケンス１，２と異なる部分を中心に説明し、同様の部分は、説明を適宜省略する。
【０１２３】
動作シーケンス２では、ＵＥ１００−１が、発見信号によって得られた識別情報に対応するＵＥを示すＵＥ情報をｅＮＢ２００に要求することに基づいて、ＵＥ１００−２を特定した。動作シーケンス３では、ＵＥ１００−１が、発見信号によって得られた識別情報を、発見信号の送信元に送信することに基づいて、ＵＥ１００−２を特定する。
【０１２４】
ステップＳ３０１からＳ３０３は、ステップＳ２０１からＳ２０３に対応する。
【０１２５】
ステップＳ３０４において、ＵＥ１００−１は、発見信号に対する応答を、発見信号の送信元（ＵＥ１００−２）に通知する。ＵＥ１００−２は、発見信号に対する応答を受信する。
【０１２６】
ステップＳ３０５において、ＵＥ１００−１は、識別情報を含む相手ＵＥを特定するためのＵＥ情報を要求する。ＵＥ１００−２は、識別情報の送信元であるＵＥ１００−１に、ＵＥ１００−２を示す情報を送信（通知）する。ＵＥ１００−１は、ＵＥ１００−２を示す情報に基づいて、ＵＥ１００−２を特定できる。
【０１２７】
一方、ＵＥ１００−２も、同様に、発見信号に対する応答の送信元であるＵＥ１００−１に対して、相手ＵＥを特定するためのＵＥ情報を要求する。ＵＥ１００−１は、ＵＥ情報要求に応じて、ＵＥ１００−１を示す情報をＵＥ１００−２に送信する。ＵＥ１００−２は、ＵＥ１００−１を示す情報に基づいて、ＵＥ１００−１を特定できる。
【０１２８】
なお、ＵＥ１００−１は、発見信号に対する応答に識別情報を含めて、発見信号の送信元（ＵＥ１００−２）に送信してもよい。
【０１２９】
このように、動作シーケンス３では、ＵＥ１００−１は、ＵＥ間によるＵＥ情報の要求により、ＵＥ１００−２を特定できる。
【０１３０】
（４）動作シーケンス４（ＵＥ型発見処理）
次に、動作シーケンス４について、図１２を用いて説明する。図１２は、実施形態に係る移動通信システムの動作シーケンス４を説明するシーケンス図である。なお、上述した動作シーケンス１−３と異なる部分を中心に説明し、同様の部分は、説明を適宜省略する。
【０１３１】
動作シーケンス４では、ＵＥ１００−１が、発見信号によって得られた識別情報と、ｅＮＢ２００から受信した対応リストとに基づいて、ＵＥ１００−２を特定する。
【０１３２】
ステップＳ４０１及びＳ４０２は、ステップＳ２０１及びＳ２０２に対応する。
【０１３３】
ステップＳ４０３において、ｅＮＢ２００は、ＵＥ１００−１と確保したリソースとを対応付けて対応リスト（動作シーケンス２参照）をＵＥ１００−１に送信する。ｅＮＢ２００は、ＵＥ１００−１からの要求に基づいて、ユニキャストで対応リストを送信してもよいし、対応リストをブロードキャストで送信してもよい。ＵＥ１００−１は、対応リストを受信する。
【０１３４】
ステップＳ４０４は、ステップＳ２０３に対応する。
【０１３５】
ＵＥ１００−１は、ステップＳ４０４における発見信号によって得られた識別情報と、ステップＳ４０３における対応リストとに基づいて、ＵＥ１００−２を特定する。具体的には、ＵＥ１００−１は、発見信号によって得られた識別情報と対応リストとを比較して、発見信号によって得られた識別情報に対応付けられたＵＥ情報を探し出す。ＵＥ１００−１は、探し出したＵＥ情報によって、ＵＥ１００−２を特定できる。
【０１３６】
このように、動作シーケンス４では、ＵＥ１００−１は、発見信号によって得られた識別情報と、対応リストとに基づいて、ＵＥ１００−２を特定できる。
【０１３７】
（５）動作シーケンス５（ＵＥ型発見処理）
次に、動作シーケンス５について、図１３を用いて説明する。図１３は、実施形態に係る移動通信システムの動作シーケンス５を説明するシーケンス図である。なお、上述した動作シーケンス１−４と異なる部分を中心に説明し、同様の部分は、説明を適宜省略する。
【０１３８】
動作シーケンス２では、ＵＥ１００−２が、Ｄ２Ｄ通信を行うことを希望する場合、発見信号を送信するために、識別情報をｅＮＢ２００に要求していた。一方、動作シーケンス５では、ｅＮＢ２００が、ＵＥ１００からの要求なく、識別情報をブロードキャストする。
【０１３９】
ステップＳ５０１において、ｅＮＢ２００は、識別情報をブロードキャストする。ここで、識別情報は、複数の識別子であり、例えば、発見信号の送信のために用いられる複数の信号系列、或いは、複数の時間・周波数リソースである。
【０１４０】
ステップＳ５０２において、ＵＥ１００−２は、複数の識別子の中から所定の識別子を選択する。ＵＥ１００−２は、選択した識別子を用いて、発見信号の送信を行う。
【０１４１】
なお、ＵＥ１００−２が発見信号の送信に用いた識別子は、他のＵＥ１００が発見信号の送信に用いる可能性があるため、ＵＥ１００−２の識別子を含む発見信号の送信を行うことが好ましい。
【０１４２】
ステップＳ５０３及びＳ５０４は、識別情報の代わりに所定の識別子を用いることを除いて、ステップＳ３０４及びＳ３０５に対応する。
【０１４３】
なお、ＵＥ１００−２は、ＵＥ１００−１からＵＥ１００−２の識別子と異なるＵＥ１００の識別子を含む応答を受信した場合、ＵＥ１００−２は、発見が失敗したと判定し、発見信号の送信（Ｓ５０２）を再度行う。
【０１４４】
このように、動作シーケンス５では、ＵＥ１００−２は、複数の識別子の中から所定の識別子を選択し、選択した識別子を用いて、発見信号の送信を行う。一方、ＵＥ１００−１は、発見信号によって得られた識別子に基づいて、ＵＥ１００−２を特定できる。
【０１４５】
なお、リソースの有効活用及び実装の観点から、発見処理の制御（発見処理を行わせるための制御を含む）に関して、ＵＥ型発見処理とＮＷ型発見処理とでできる限り共通にすることが望まれる。上述した実施形態によれば、ＵＥ型発見処理を行うことが可能な無線リソース領域内の時間・周波数リソースを用いてＮＷ型発見処理を行うことができる。また、識別情報は、ＮＷ型発見処理における制御とＵＥ型発見処理における制御とで共通に利用可能である。従って、ＵＥ型発見処理とＮＷ型発見処理とで、発見処理の制御が共通であるため、リソースの有効活用及び実装の観点において、効果的である。
【０１４６】
［その他実施形態］
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１４７】
例えば、上述した実施形態では、ＵＥ１００−１とＵＥ１００−２とのＤ２Ｄ通信を想定していたが、これに限られない。ＵＥ１００−１のＤ２Ｄ通信における相手となるべき相手端末が複数のＵＥ１００（例えば、ＵＥ１００−２、ＵＥ１００−３）である場合、ｅＮＢ２００は、発見信号の信号系列、時間・周波数リソースなどの発見処理に用いられるリソースを、ＵＥ１００−１、ＵＥ１００−２及びＵＥ１００−３（によって構成されるＤ２Ｄグループ）に共通且つ専用に確保してもよい。ｅＮＢ２００は、確保したリソースを示す識別情報をＤ２Ｄグループを構成する複数のＵＥ１００（ＵＥ１００−１、ＵＥ１００−２及びＵＥ１００−３）のそれぞれに送信し、当該複数のＵＥ１００は、識別情報に基づいて、相手端末を発見できる。
【０１４８】
また、上述した実施形態では、動作シーケンス５において、ＵＥ１００の識別子を用いて、発見の成否を判定していたが、他の動作シーケンスにおいても、ＵＥ１００の識別子を用いて、発見の成否を判定していてもよい。
【０１４９】
また、上述した実施形態において、動作シーケンス１−５は、適宜組み合わされて実施されてもよい。
【０１５０】
また、上述した実施形態では、本発明をＬＴＥシステムに適用する一例を説明したが、ＬＴＥシステムに限定されるものではなく、ＬＴＥシステム以外のシステムに本発明を適用してもよい。
【０１５１】
なお、日本国特許出願第２０１３−２４９１６６号（２０１３年１２月２日出願）の全内容が、参照により、本願明細書に組み込まれている。
【産業上の利用可能性】
【０１５２】
以上のように、本実施形態に係る通信制御方法、ユーザ端末及び基地局は、ＵＥ型発見処理及びＮＷ型発見処理を有効に機能させることができるため、移動通信分野において有用である。
【図１】
0006615729.tif 000002
【図２】
0006615729.tif 000003
【図３】
0006615729.tif 000004
【図４】
0006615729.tif 000005
【図５】
0006615729.tif 000006
【図６】
0006615729.tif 000007
【図７】
0006615729.tif 000008
【図８】
0006615729.tif 000009
【図９】
0006615729.tif 000010
【図１０】
0006615729.tif 000011
【図１１】
0006615729.tif 000012
【図１２】
0006615729.tif 000013
【図１３】
0006615729.tif 000014